【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
鳥卵の性別および／または受精状態を特定するシステムであって、
使用中に前記鳥卵に結合可能な採取装置であって、前記採取装置は、真空源と、前記真空源に結合された空気捕集装置と、前記真空源を前記空気捕集装置に結合する通路に配置された膜とを具え、前記膜は揮発性有機化合物を捕捉することが可能であり、前記採取装置は、前記真空源から、前記鳥卵の近くの空気に真空をかけて、前記卵の付近から捕捉された空気を前記膜の方向に向ける、採取装置と、
電磁放射送信機および検出器であって、前記膜は、前記送信機により放射された前記電磁放射内に配置可能である、電磁放射送信機および検出器と
を具えることを特徴とする、システム。
【請求項２】
請求項１に記載のシステムにおいて、前記電磁放射がテラヘルツ周波数の範囲であることを特徴とする、システム。
【請求項３】
請求項１に記載のシステムにおいて、前記採取装置は卵状のカップを更に具え、真空を前記鳥卵にかけて、前記鳥卵を、前記卵状のカップに引き入れることを特徴とする、システム。
【請求項４】
請求項３に記載のシステムにおいて、前記膜は、捕捉された前記揮発性有機化合物が、前記鳥卵から前記卵状のカップを介して前記膜に引き入れられるように、前記卵状のカップと前記真空源との間に配置されることを特徴とする、システム。
【請求項５】
請求項４に記載のシステムにおいて、前記真空は、前記鳥卵が前記採取装置により空中に持ち上げられるように、前記鳥卵にかけられることを特徴とする、システム。
【請求項６】
請求項１に記載のシステムにおいて、前記採取装置が真空卵処理装置に組み込まれることを特徴とする、システム。
【請求項７】
請求項６に記載のシステムにおいて、前記真空卵処理装置は複数の採取装置を具え、各々の前記採取装置が、複数の鳥卵の近くの空気をほぼ同時に捕集することが可能であることを特徴とする、システム。
【請求項８】
請求項１に記載のシステムにおいて、前記膜が前記採取装置から除去可能であることを特徴とする、システム。
【請求項９】
請求項１乃至８のいずれか一項に記載のシステムを使用して、鳥卵の性別および／または受精状態を特定する方法であって、
前記採取装置を前記鳥卵に結合するステップであって、前記採取装置が、真空源と、空気捕集装置と、揮発性有機化合物を捕捉することが可能な膜とを具えるステップと、
前記採取装置を操作して、前記空気捕集装置を介して前記鳥卵の近くの空気を捕捉するステップであって、前記採取装置が、捕捉された前記空気を前記膜の方向に向けるステップと、
電磁放射を前記膜にかけるステップであって、前記電磁放射は、前記膜に捕捉された１つ以上の揮発性有機化合物の量を特定することが可能になるように予め選択されるステップと
を具えることを特徴とする方法。
【請求項１０】
請求項９に記載の方法において、前記鳥卵を前記採取装置で運ぶステップを更に具えることを特徴とする、方法。
【請求項１１】
請求項９に記載の方法において、前記膜を前記採取装置から取り除いて、電磁放射を、取り除かれた前記膜にかけるステップを更に具えることを特徴とする、方法。
【請求項１２】
請求項９に記載の方法において、前記捕捉された空気を前記膜の方向に向けた後で、前記採取装置を電磁放射送信機の近くに移動させるステップを更に具えることを特徴とする、方法。
【請求項１３】
請求項９に記載の方法において、電磁放射を前記膜にかけた後で、前記膜から前記揮発性有機化合物の少なくとも一部を取り除くステップを更に具えることを特徴とする、方法。
【請求項１４】
請求項１３に記載の方法において、大気または不活性ガスを前記膜に通すことにより、前記揮発性有機化合物が前記膜から取り除かれることを特徴とする、方法。
【請求項１５】
請求項１３に記載の方法において、電流を前記膜に通すことにより、前記揮発性有機化合物が前記膜から取り除かれることを特徴とする、方法。
【請求項１６】
請求項９に記載の方法において、前記膜が一度読み取られた後で、取り除かれて処分されることを特徴とする、方法。
【請求項１７】
鳥卵の性別および／または受精状態を特定するシステムであって、
使用中に前記鳥卵に結合可能な採取装置であって、前記採取装置は、真空源と、前記真空源に結合された空気捕集装置と、前記真空源を前記空気捕集装置に結合する通路に配置された試料チャンバとを具え、前記採取装置は、前記真空源から、前記鳥卵の近くの空気に真空をかけて、前記卵の付近から捕捉された前記空気を前記試料チャンバの方向に向ける、採取装置と、
電磁放射送信機および検出器であって、前記試料チャンバは、前記送信機により放射された前記電磁放射内に配置可能である、電磁放射送信機および検出器と
を具えることを特徴とする、システム。
【請求項１８】
請求項１７に記載のシステムにおいて、前記電磁放射がテラヘルツ周波数の範囲であることを特徴とする、システム。
【請求項１９】
請求項１７に記載のシステムにおいて、前記採取装置が卵状のカップを更に具え、前記鳥卵に真空をかけて、前記鳥卵を、前記卵状のカップに引き入れることを特徴とする、システム。
【請求項２０】
請求項１９に記載のシステムにおいて、前記試料チャンバは、捕捉された前記揮発性有機化合物が、前記鳥卵から前記卵状のカップを介して前記試料チャンバに引き入れられるように、前記卵状のカップと前記真空源との間に配置されることを特徴とする、システム。
【請求項２１】
請求項１９に記載のシステムにおいて、前記真空は、前記卵が前記採取装置により空中に持ち上げられるように、前記鳥卵にかけられることを特徴とする、システム。
【請求項２２】
請求項１７に記載のシステムにおいて、前記採取装置が真空卵処理装置に組み込まれることを特徴とする、システム。
【請求項２３】
請求項２２に記載の方法において、前記真空卵処理装置が複数の採取装置を具え、各々の前記採取装置が、複数の鳥卵の近くの空気をほぼ同時に捕集することが可能であることを特徴とする、システム。
【請求項２４】
請求項１７に記載のシステムにおいて、前記試料チャンバが前記採取装置から除去可能であることを特徴とする、システム。
【請求項２５】
請求項１７に記載のシステムにおいて、前記試料チャンバに配置された膜を更に具え、前記膜が揮発性有機化合物を捕捉することが可能であることを特徴とする、システム。
【請求項２６】
請求項１７乃至２５のいずれか一項に記載のシステムを用いて鳥卵の性別および／または受精状態を特定する方法であって、
採取装置を前記鳥卵に結合するステップであって、前記採取装置が、真空源と、空気捕集装置と、試料チャンバとを具えるステップと、
前記採取装置を操作して、前記空気捕集装置を介して前記鳥卵の近くの空気を捕捉するステップであって、前記採取装置が、捕捉された前記空気を前記試料チャンバの方向に向けるステップと、
電磁放射を前記試料チャンバにかけるステップであって、前記電磁放射は、前記試料チャンバに捕捉された１つ以上の揮発性有機化合物の量を特定することが可能になるように予め選択されるステップと
を具えることを特徴とする、方法。
【請求項２７】
請求項２６に記載の方法において、前記鳥卵を前記採取装置で運ぶステップを更に具えることを特徴とする、方法。
【請求項２８】
請求項２６に記載の方法において、前記膜を前記採取装置から取り除くステップと、電磁放射を、取り除かれた前記膜にかけるステップとを更に具えることを特徴とする、方法。
【請求項２９】
請求項２６に記載の方法において、捕捉された前記空気を前記膜の方向に向けた後で、前記採取装置を電磁放射送信機の近くに移動させるステップを更に具えることを特徴とする、方法。
【請求項３０】
請求項２６に記載の方法において、前記試料チャンバから前記揮発性有機化合物の少なくとも一部を取り除くステップを更に具えることを特徴とする、方法。
【請求項３１】
請求項３０に記載の方法において、大気または不活性ガスを前記試料チャンバに通すことにより、前記揮発性有機化合物が前記試料チャンバから取り除かれることを特徴とする、方法。
【請求項３２】
請求項２６に記載の方法において、前記採取装置が、前記試料チャンバに配置された膜を更に具え、前記膜は、揮発性有機化合物を捕捉することが可能であり、前記方法は、電磁放射を前記膜にかけるステップを更に具え、前記電磁放射は、前記膜に捕捉された１つ以上の揮発性有機化合物の量を特定することが可能になるように予め選択されることを特徴とする、方法。
【請求項３３】
鳥卵の性別および／または受精状態を特定するシステムにおいて、
１つ以上の鳥卵を収容する１つ以上のキャリアと、
予め選択された電磁放射を放出することが可能な１つ以上の送信機であって、前記１つ以上の送信機が、前記予め選択された電磁放射を１つ以上の鳥卵の方向に向ける送信機と、
前記１つ以上の鳥卵を通過する前記予め選択された電磁放射を検出することが可能な１つ以上の検出器と
を具えることを特徴とする、システム。
【請求項３４】
請求項３３に記載のシステムにおいて、前記電磁放射がテラヘルツ周波数の範囲であることを特徴とする、システム。
【請求項３５】
請求項３３に記載のシステムにおいて、前記キャリアが卵処理装置に組み込まれることを特徴とする、システム。
【請求項３６】
請求項３５に記載のシステムにおいて、前記卵処理装置が、複数の送信機および検出器を具え、各々の前記送信機および検出器が、前記予め選択された電磁放射を複数の卵にほぼ同時に送信することが可能であることを特徴とする、システム。
【請求項３７】
請求項３５に記載のシステムにおいて、前記卵処理装置が、卵をコンベヤベルトに沿って運ぶ搬送システムを具え、前記キャリアが前記コンベヤベルトに結合され、複数の送信機および検出器は、運ばれた前記卵が前記送信機と前記検出器との間の光学経路内に入るように配置されることを特徴とする、システム。
【請求項３８】
請求項３３に記載のシステムにおいて、前記キャリアは、前記キャリアに配置された鳥卵の位置の近くに配置される１つ以上のウィンドウを具え、前記１つ以上のウィンドウにより、前記予め選択された電磁放射が前記ウィンドウを通過することが可能になり、前記送信機は、前記送信機により放射された、前記予め選択された電磁放射が前記ウィンドウを通過して、前記卵に入るように、光学的に前記ウィンドウと並べられることを特徴とする、システム。
【請求項３９】
請求項３８に記載のシステムにおいて、前記キャリアは、前記１つ以上のウィンドウを、前記送信機と前記検出器との間の光学経路内に移動できるように、移動可能であることを特徴とする、システム。
【請求項４０】
請求項３８に記載のシステムにおいて、前記送信機および／または前記検出器は、前記１つ以上のウィンドウを、前記送信機と前記検出器との間の光学経路内に配置できるように移動可能であることを特徴とする、システム。
【請求項４１】
請求項３８に記載のシステムにおいて、前記キャリアは、前記卵の気室が前記キャリアのウィンドウに配置されるような位置に前記鳥卵を保持する１つ以上の卵状のカップを具えることを特徴とする、システム。
【請求項４２】
請求項３３乃至４１のいずれか一項に記載のシステムを用いて鳥卵の性別および／または受精状態を特定する方法において、
卵の前記気室を、前記送信機と前記検出器との間の前記光学経路内に配置するステップと、
電磁放射を前記卵の気室にかけるステップであって、前記電磁放射は、前記卵の気室内の１つ以上の有機化合物の量を特定することが可能になるように予め選択されるステップと
を具えることを特徴とする、方法。
【請求項４３】
請求項４２に記載の方法において、前記キャリアが卵処理装置に組み込まれ、前記卵処理装置が複数の送信機および検出器を具え、前記方法は、前記予め選択された電磁放射を複数の卵にほぼ同時に送信するステップを更に具えることを特徴とする、方法。
【請求項４４】
請求項４３に記載の方法において、前記卵処理装置が、卵をコンベヤベルトに沿って運ぶ搬送システムと、複数の送信機および検出器とを具え、前記方法は、運ばれた前記卵が前記送信機と前記検出器との間の光学経路内に入るように、前記キャリアを前記コンベヤベルトに沿って移動させるステップを具えることを特徴とする、方法。
【請求項４５】
請求項４２に記載の方法において、前記キャリアは、前記キャリアに配置された鳥卵の位置の近くに配置される１つ以上のウィンドウを具え、前記１つ以上のウィンドウにより、前記予め選択された電磁放射が前記ウィンドウを通過することが可能になり、前記方法は、前記送信機により放出された前記予め選択された電磁放射が、前記ウィンドウを通過して前記卵に入るように、前記送信機を前記ウィンドウと光学的に並べるステップを更に具えることを特徴とする、システム。
【請求項４６】
請求項４５に記載の方法において、前記１つ以上のウィンドウを前記送信機と前記検出器との間の光学経路内に移動させるように、前記キャリアを移動させるステップを更に具えることを特徴とする、方法。
【請求項４７】
請求項４２に記載の方法において、前記１つ以上のウィンドウを前記送信機と前記検出器との間の光学経路内に配置させるように、前記送信機および／または前記検出器を移動させるステップを更に具えることを特徴とする、システム。
【請求項４８】
卵の特性を計測する方法であって、
複数の卵をホルダに置くステップと、
２つ以上の卵からそれぞれ放出された空気を捕集するステップと、
捕集された前記空気の１つ以上の特性を計測するステップと、
前記空気の測定に基づいて、少なくとも２つの前記卵それぞれの１つ以上の特性を特定するステップと
を具えることを特徴とする、方法。
【請求項４９】
卵の特性を計測するシステムであって、
複数の卵を保持するように構成されたホルダと、
２つ以上の前記卵からそれぞれ放出された空気を捕捉するように構成された空気捕集システムと、
前記捕集された空気の１つ以上の特性を計測するように構成された計測装置と
を具えることを特徴とする、システム。
【請求項５０】
請求項４９に記載の方法において、前記空気捕集システムが、トレー上の２つ以上の卵のための空気捕集装置を具え、前記計測装置は、前記卵の周辺から捕捉された空気について１度以上計測を行うため、少なくとも２つの前記空気捕集装置を前記卵から離すように構成されることを特徴とする、システム。
【請求項５１】
請求項４９に記載のシステムにおいて、少なくとも１つの卵を、前記計測装置の近くの位置に移動させるように構成された搬送システムを更に具えることを特徴とする、システム。
【請求項５２】
請求項４９に記載のシステムにおいて、少なくとも２つの前記卵のそれぞれの計測を、前記計測装置により行われた計測と関連付けるように構成されたトラッキングシステムを更に具えることを特徴とする、システム。
【請求項５３】
請求項４９に記載のシステムにおいて、少なくとも２つの前記空気捕集装置が膜を具えることを特徴とする、システム。
【請求項５４】
請求項４９に記載のシステムにおいて、前記計測装置が、放射器および検出器を具え、前記放射器は電磁放射ビームを前記検出器に向けて送るように構成され、前記検出器は前記空気捕集装置に捕集された前記空気の少なくとも１つの特性を計測するように構成されることを特徴とする、システム。